(57)【要約】      （修正有）【課題】ドリンクを保冷しながら搬送するための搬送タンクを提供する。【解決手段】ドリンクの搬送タンクは、保冷ケース１０及び内胴体２０を備え、その内、保冷ケースは、保冷材質からなり、上部に開口１１１が形成され、内部に開口と連通する収容空間１１２が形成されるケース本体１１と、ケース本体の形と対応して収容空間を密封する蓋体１２とを備え、内胴体は、金属材質からなり、収容空間と対応して着脱可能に組み合わせられる密封のバケットであり、上部に注ぎチューブ２１が設置されるものである。【選択図】図２
0003193562.tif 000002
【実用新案登録請求の範囲】
【請求項１】
保冷材質からなり、上部に開口が形成され、内部に開口と連通する収容空間が形成されるケース本体と、該ケース本体の形と対応して収容空間を密封する蓋体とを有する保冷ケースと、
金属材質からなり、前記収容空間と対応して着脱可能に組み合わせられる密封のバケットであり、上部に注ぎチューブが設置される内胴体と、を備えることを特徴とするドリンクの搬送タンク。
【請求項２】
前記保冷ケースにおけるケース本体の内周面の上部近傍に複数の係合凹部が間隔をおいて凹設され、
前記蓋体の底部に環状凸縁が設けられ、該環状凸縁に複数の係合ブロックが外部に向かって凸設され、該係合ブロックが係合凹部と対応するように係合されることを特徴とする請求項１に記載のドリンクの搬送タンク。
【請求項３】
前記内胴体における上部の注ぎチューブの両側に１対の取っ手が取り付けられることを特徴とする請求項１または２に記載のドリンクの搬送タンク。
【請求項４】
前記内胴体の上部に取付穴が形成され、前記注ぎチューブが着脱可能に取付穴に取り付けられることを特徴とする請求項１乃至３の何れか１項に記載のドリンクの搬送タンク。
【請求項５】
前記蓋体の中心に貫通孔が形成され、
前記内胴体の上部中心に取付穴が形成され、前記注ぎチューブが蓋体の貫通孔を通過して着脱可能に取付穴に取り付けられることを特徴とする請求項１乃至３の何れか１項に記載のドリンクの搬送タンク。
【考案の詳細な説明】
【技術分野】
【０００１】
本考案は、特にドリンクを収容して搬送するためのタンクに関するものである。
【背景技術】
【０００２】
暑い夏に、冷たいお茶や、炭酸水、ビールなどのドリンクを飲むことは最高であるため、ドリンクの保冷する道具が重要である。既存の大容量のドリンクタンクは、殆ど金属材質から形成され、搬送する時に、冷蔵車を利用して所望の場所まで運ばれ、ドリンクを保冷することができる。また、既存の保冷タンクは、保冷材質からなり、保冷効果を備えることから、一般的な車やトランクで搬送すればよく、搬送コストを減少することができる。しかし、その保冷タンクは、保冷材質からなり、再冷却することができなく、使い捨て容器であるので、環境に悪くて実用性が低くなる。なお、その保冷タンクを一度開けると、全部のドリンクを飲まなくてはならない。
【考案の概要】
【考案が解決しようとする課題】
【０００３】
既存の大容量のドリンクタンクは、冷蔵庫を利用して保冷しながら搬送することができるが、そのドリンクの量が少ない場合には、冷蔵車で搬送すれば、搬送コストが高くなる。また、既存の保冷タンクは、使い捨て容器であると共に、その保冷タンクを一度開けると、全部のドリンクを飲まなくてはならないため、環境に悪くて使用上にも実用性が低い。
【課題を解決するための手段】
【０００４】
本考案にかかるドリンクの搬送タンクは、保冷ケース及び内胴体を備え、その内、該保冷ケースは、保冷材質からなり、上部に開口が形成され、内部に開口と連通する収容空間が形成されるケース本体と、該ケース本体の形と対応して収容空間を密封する蓋体とを備え、該内胴体は、金属材質からなり、前記収容空間と対応して着脱可能に組み合わせられる密封のバケットであり、上部に注ぎチューブが設置されるものである。
【０００５】
かかるドリンクの搬送タンクにおいて、前記保冷ケースにおけるケース本体の内周面の上部近傍に複数の係合凹部が間隔をおいて凹設され、前記蓋体の底部に環状凸縁が設けられ、該環状凸縁に複数の係合ブロックが外部に向かって凸設され、該係合ブロックが係合凹部と対応するように係合されることが好ましい。
【０００６】
かかるドリンクの搬送タンクにおいて、前記内胴体における上部の注ぎチューブの両側に１対の取っ手が取り付けられることが好ましい。
【０００７】
かかるドリンクの搬送タンクにおいて、前記内胴体の上部に取付穴が形成され、前記注ぎチューブが着脱可能に取付穴に取り付けられることが好ましい。
【０００８】
かかるドリンクの搬送タンクにおいて、前記蓋体の中心に貫通孔が形成され、前記内胴体の上部中心に取付穴が形成され、前記注ぎチューブが蓋体の貫通孔を通過して着脱可能に取付穴に取り付けられることが好ましい。
【考案の効果】
【０００９】
本考案に係るドリンクの搬送タンクは、保冷材質からなるケース本体を備え、該ケース本体の内部に収容空間が形成されると共に、金属材質からなる内胴体を備え、該内胴体が着脱可能にケース本体に組み合わせられることから、そのドリンクを搬送する時に、まずドリンクを内胴体に入れてケース本体に収納し、また、ケース本体の保冷効果によって、温度をすぐ上昇しないように、ドリンクを低温に保存することができる。また、内胴体をケース本体から取り出すと、ドリンクを注いで飲むことができる。さらに、内胴体が着脱可能にケース本体の収容空間に取り付けられることから、内胴体をケース本体から取り出すことができ、もう一度冷蔵庫に入れて冷却して再利用することができる。
【図面の簡単な説明】
【００１０】
【図１】本考案に係るドリンクの搬送タンクの第一実施例の斜視図である。
【図２】本考案に係るドリンクの搬送タンクの第一実施例の分解斜視図である。
【図３】本考案に係るドリンクの搬送タンクの第一実施例の断面図である。
【図４】本考案に係るドリンクの搬送タンクの第一実施例において、蓋体を開ける操作を示す斜視図である。
【図５】本考案に係るドリンクの搬送タンクの第一実施例において、取っ手を使用する操作を示す斜視図である。
【図６】本考案に係るドリンクの搬送タンクの第一実施例において、内胴体を取り出す操作を示す斜視図である。
【図７】本考案に係るドリンクの搬送タンクの第二実施例における分解斜視図である。
【図８】本考案に係るドリンクの搬送タンクの第三実施例における分解斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１及び図４に示すように、本考案に係るドリンクの搬送タンクの第一実施例は、保冷ケース１０及び内胴体２０を有する。
【００１３】
前記保冷ケース１０は、ケース本体１１及び蓋体１２を備え、該ケース本体１１は、保冷材質からなる円形タンクであり、上部に開口１１１が形成され、内部に開口１１１と連通する収容空間１１２が形成され、内周面における上部近傍に複数の係合凹部１１３が間隔をおいて凹設され、外周面における相対する両側にそれぞれ持ち凹部１１４が形成され、使用者が持ち凹部１１４を介してケース本体１１を持上げて運ぶことができる。
【００１４】
前記蓋体１２は、ケース本体１１の形と対応し、底部に環状凸縁１２１が設けられ、該環状凸縁１２１に複数の係合ブロック１２２が外部に向かって凸設され、該係合ブロック１２２の形が係合凹部１１３と対応する。その蓋体１２が収容空間１１２を密封するように、ケース本体１１の上部に組み合わせる時に、蓋体１２をまわして係合ブロック１２２を係合凹部１１３に係合させられる。
【００１５】
前記内胴体２０は、密封の円形バケットであり、金属材質からなり、着脱可能にケース本体１１の収容空間１１２に組み合わせられ、上部中央に注ぎチューブ２１が設置され、上部における注ぎチューブ２１の両側に１対の取っ手２２が取り付けられる。この内胴体２０を使用する時に、冷たいビールや、炭酸水、お茶などのドリンクを内胴体２０に入れて、内胴体２０をケース本体１１の収容空間１１２に収納され、保冷材質の保冷ケース１０によって、ドリンクを低温に保存する。
【００１６】
図１、図４、図６に示すように、通常にタンクを搬送する過程において、まずその内胴体２０を低温冷却して保冷ケース１０のケース本体１１に嵌め込み、蓋体１２がケース本体１１に組み合わせて収容空間１１２を密封し、保冷効果を提供できる。それによれば、内胴体２０を所望の場所まで搬送しても内部の温度もすぐ上昇することはない。ドリンクを注ぐ時には、使用者が取っ手２２を持って内胴体２０をケース本体１１から取り出し、内胴体２０の内部のドリンクをコップに注ぐことができる。
【００１７】
本考案に係るドリンクの搬送タンクにおいて、その内胴体２０は、金属材質からなり、着脱可能に保冷ケース１０に組み合わせることから、使用した後にも、その内胴体２０を保冷ケース１０から取り出すことができ、もう一度冷蔵庫に入れて冷却することができる。また、その内胴体２０にあるドリンクがなくなると、もう一度ドリンクを充填して再利用することができ、使用上に実用性が高い。
【００１８】
図７に示すように、本考案に係るドリンクの搬送タンクの第二実施例は、殆ど第一実施例と同一であるが、その内胴体２０Ａの上部中心に取付穴２０１Ａが形成され、該取付穴２０１Ａに注ぎチューブ２１Ａが着脱可能に取り付けられることが異なる。なお、該取付穴がねじ穴であり、該注ぎチューブ２１Ａの下端の外周面にねじ山が形成され、該注ぎチューブ２１Ａがねじ山により着脱可能に取付穴２０１Ａに螺合される。一方、その注ぎチューブ２１Ａは、螺合手段によって着脱可能に内胴体２０Ａの取付穴２０１Ａに取り付けられるだけではなく、係合手段や、環設手段、挿設手段などの技術手段によって取付穴２０１Ａに取り付けられてもよい。
【００１９】
図８に示すように、本考案に係るドリンクの搬送タンクの第三実施例は、殆ど第一実施例と同一であるが、以下の点において異なる。その蓋体１２Ｂの中心に貫通孔１２０Ｂが形成され、内胴体２０Ｂの上部中心に取付穴２０１Ｂが形成され、注ぎチューブ２１Ｂが蓋体１２Ｂの貫通孔１２０Ｂを通過して着脱可能な取付穴２０１Ｂに取り付けられる。なお、該取付穴２０１Ｂがねじ穴であり、該注ぎチューブ２１Ｂの下端の外周面にねじ山が形成され、該注ぎチューブ２１Ｂがねじ山により着脱可能な取付穴２０１Ｂに螺合される。一方、その注ぎチューブ２１Ｂは、螺合手段によって着脱可能な内胴体２０Ｂの取付穴２０１Ｂに取り付けられるだけではなく、係合手段や、環設手段、挿設手段などの技術手段によって取付穴２０１Ｂに取り付けられてもよい。また、本考案にかかる第二実施例及び第三実施例の使用方法は、第一実施例と同一であるので、ここでの説明を省略する。
【符号の説明】
【００２０】
１０  保冷ケース
１１  ケース本体
１１１  開口
１１２  収容空間
１１３  係合凹部
１１４  持ち凹部
１２、１２Ｂ  蓋体
１２０Ｂ  貫通孔
１２１  環状凸縁
１２２  係合ブロック
２０、２０Ａ  内胴体
２０１Ａ  取付穴
２１、２１Ａ、２１Ｂ  注ぎチューブ
２２  取っ手
【図１】
0003193562.tif 000003
【図２】
0003193562.tif 000004
【図３】
0003193562.tif 000005
【図４】
0003193562.tif 000006
【図５】
0003193562.tif 000007
【図６】
0003193562.tif 000008
【図７】
0003193562.tif 000009
【図８】
0003193562.tif 000010